(57)【要約】      （修正有）【課題】収容容器の移動作業が良好に行なえる種籾消毒設備にする。【解決手段】種籾を収容した収容容器Ｍを浸漬する水槽１を前後方向に四つ以上一列に配置し、該水槽１の上方には収容容器Ｍを吊るクレーンが水槽１に沿って前後方向に移動するレールを設け、該レールは建屋の天井側に取付け、前端の水槽から後端の水槽１ａまで至るその左右両側の隣接位置に架台式の作業通路２をそれぞれ設け、前記複数の水槽１のうち、後端の水槽１ａ内には該水槽１ａ内に温水を供給する温水供給管１３と、該水槽１ａ内の温水を回収する温水回収管１２とを設け、該温水供給管１３と温水回収管１２はそれぞれ前記熱交換器を介して連通して循環水路とする構成とし、前記熱交換器は後端の水槽１ａより後側でかつ前記レールの軌跡の外側に設けた。【選択図】図２
2008271842.tif 000002
【特許請求の範囲】
【請求項１】
種籾を収容した収容容器（Ｍ）を浸漬する水槽（１）を前後方向に四つ以上一列に配置し、該水槽（１）の上方には収容容器（Ｍ）を吊るクレーン（３）が水槽（１）に沿って前後方向に移動するレール（４）を設け、該レール（４）は建屋（Ｔ）の天井（５）側に取付け、前端の水槽（１ｄ）から後端の水槽（１ａ）まで至るその左右両側の隣接位置に架台式の作業通路（２）をそれぞれ設け、前記複数の水槽（１）のうち、後端の水槽（１ａ）内には該水槽（１ａ）内に温水を供給する温水供給管（１３）と、該水槽（１ａ）内の温水を回収する温水回収管（１２）とを設け、該温水供給管（１３）と温水回収管（１２）はそれぞれ前記熱交換器（１１）を介して連通して循環水路とする構成とし、前記後端の水槽（１ａ）内の温水の温度を制御する構成とし、前記熱交換器（１１）は後端の水槽（１ａ）より後側でかつ前記レール（４）の軌跡の外側に設けたことを特徴とする種籾消毒設備 。
【請求項２】
温水供給管（１３）と温水回収管（１２）は作業通路（２）の下側を通過し、水槽（１）の外側壁（ｔ）に沿って下部から上部に亘って設け、水槽の上縁（ｓ）から折り返して水槽の内側壁（ｒ）に沿って上部から下部に亘って設けたことを特徴とする請求項１記載の種籾消毒設備。
【請求項３】
後端の水槽（１ａ）を温水で種籾を消毒する温水槽（１ａ）とし、該温水槽（１ａ）の前側に隣接する水槽を温水槽（１ａ）で種籾を消毒する前に種籾を水洗する予洗槽（１ｂ）とし、該予洗槽（１ｂ）の前側に隣接する水槽を温水槽（１ａ）で種籾を消毒した後に冷水で種籾を冷却する冷水槽（１ｃ）とし、該冷水槽（１ｃ）の前側に隣接する水槽を冷却後の種籾を浸漬する浸漬槽（１ｄ）としたことを特徴とする請求項１記載の種籾消毒設備。
【発明の詳細な説明】
【技術分野】
【０００１】
本発明は、種籾を温水に浸漬して消毒する設備に関するものである。
【背景技術】
【０００２】
種籾の温水消毒装置において、特許文献１には温水槽と冷水槽を隣接して設け、冷水槽と温水槽の上方に種籾を収容した収容容器を吊るホイストが移動する横桁を設け、給湯器が温水槽の側方に設ける構成が記載されている。
【特許文献１】特開２００６−２３０２７０
【発明の開示】
【発明が解決しようとする課題】
【０００３】
通常種籾消毒は温水槽で約１０分程度浸漬した直後、冷水槽で約５分程度浸漬し、次いで、冷水槽で冷却後数日間浸漬槽で浸漬される。そして、作業者は収容容器を温水槽から冷水槽及び浸漬槽に移動するのにホイストで昇降作業をするが、収容容器を温水槽内及び冷水槽内に下降して載置するには作業者が水槽の側方にあって吊り状態で揺れる収容容器を手で保持しながら所望の姿勢に操作できるのが望ましい。しかしながら特許文献１においては給湯器やホイストを支持する支柱が温水槽及び冷水槽の一側方に配置されているため収容容器の移動作業スペースが片方のみしかなく不便である。
【０００４】
本発明は、収容容器の移動作業が良好に行なえる種籾消毒設備にすることを課題とする。
【課題を解決するための手段】
【０００５】
請求項１の発明は、種籾を収容した収容容器（Ｍ）を浸漬する水槽（１）を前後方向に四つ以上一列に配置し、該水槽（１）の上方には収容容器（Ｍ）を吊るクレーン（３）が水槽（１）に沿って前後方向に移動するレール（４）を設け、該レールは建屋（Ｔ）の天井（５）側に取付け、前端の水槽（１ｄ）から後端の水槽（１ａ）まで至るその左右両側の隣接位置に架台式の作業通路（２）をそれぞれ設け、前記複数の水槽（１）のうち、後端の水槽（１ａ）内には該水槽（１ａ）内に温水を供給する温水供給管（１３）と、該水槽（１ａ）内の温水を回収する温水回収管（１２）とを設け、該温水供給管（１３）と温水回収管（１２）はそれぞれ前記熱交換器（１１）を介して連通して循環水路とする構成とし、前記後端の水槽（１ａ）内の温水の温度を制御する構成とし、前記熱交換器（１１）は後端の水槽（１ａ）より後側でかつ前記レール（４）の軌跡の外側に設けたことを特徴とする種籾消毒設備とする。
【０００６】
請求項２の発明は、温水供給管（１３）と温水回収管（１２）は作業通路（２）の下側を通過し、水槽（１）の外側壁（ｔ）に沿って下部から上部に亘って設け、水槽（１）の上縁（ｓ）から折り返して水槽の内側壁（ｒ）に沿って上部から下部に亘って設けたことを特徴とする請求項１記載の種籾消毒設備とする。
【０００７】
請求項３の発明は、後端の水槽（１ａ）を温水で種籾を消毒する温水槽（１ａ）とし、該温水槽（１ａ）の前側に隣接する水槽を温水槽（１ａ）で種籾を消毒する前に種籾を水洗する予洗槽（１ｂ）とし、該予洗槽（１ｂ）の前側に隣接する水槽を温水槽（１ａ）で種籾を消毒した後に冷水で種籾を冷却する冷水槽（１ｃ）とし、該冷水槽（１ｃ）の前側に隣接する水槽を冷却後の種籾を浸漬する浸漬槽（１ｄ）としたことを特徴とする請求項１記載の種籾消毒設備とする。
【発明の効果】
【０００８】
請求項１の発明は、作業通路（２）を後端の水槽（１ｄ）から前端の水槽（１ｄ）に至るまでその左右両側に設けるため、収容容器（Ｍ）をクレーン（３）で水槽（１）間を移動させるときに作業者は何れか一方の作業通路（２）に立ってクレーン（３）の操作を行い、場合によっては補助作業者が他方の作業通路（２）に立って移動補助作業を行なうことができるため収容容器（Ｍ）の昇降及び移動作業を行ない易くすることができる。また、作業通路（２）を架台式にすることで、高い位置から水槽（１）内部を目視することができ、収容容器（Ｍ）の移動作業をさらに行ない易くすることができる。また、前記熱交換器（１１）を後端の水槽（１ｄ）より後側でかつレール（４）の軌跡の外側位置に設け、循環水路を後端の水槽（１ｄ）に設けたことで、循環水路の長さを短くすることができ、熱交換器（１１）がクレーン（３）による収容容器（Ｍ）の移動作業の邪魔にならない。そして、作業通路（２）を水槽（１）の左右両側に設けやすくすることができる。
【０００９】
請求項２の発明は、温水供給管（１３）と温水回収管（１２）は作業通路（２）の下側を通過し、水槽（１）の外側壁（ｔ）に沿って下部から上部に亘って設け、水槽（１）の上縁（ｓ）から折り返して水槽（１）の内側壁（ｒ）に沿って上部から下部に亘って設けたことで、作業通路（２）上の作業者が作業中に温水供給管（１３）や温水回収管（１２）が邪魔になるのを防止することができる。また、温水供給管（１３）や温水回収管（１２）を設けるのに水槽（１）に特別な加工を施さなくても良いので、既にある水槽（１）に後付けで熱交換器（１１）や循環水路を設けることができる。
【００１０】
請求項３の発明によると、後端の水槽（１ａ）を温水で種籾を消毒する温水槽（１ａ）とし、該温水槽（１ａ）の前側に隣接する水槽を温水槽（１ａ）で種籾を消毒する前に種籾を水洗する予洗槽（１ｂ）とし、該予洗槽（１ｂ）の前側に隣接する水槽を温水槽（１ａ）で種籾を消毒した後に冷水で種籾を冷却する冷水槽（１ｃ）とし、該冷水槽（１ｃ）の前側に隣接する水槽を冷却後の種籾を浸漬する浸漬槽（１ｄ）としたことで、温水槽（１ａ）と熱交換器（１１）の距離を近くすることができ、かつ、温水槽（１ａ）で消毒した後、収容容器（Ｍ）を冷水槽（１ｃ）に移動する途中で予洗槽（１ｂ）の上方を通過するため、収容容器（Ｍ）から漏れる温水が予洗槽（１ｂ）に落ちるため、冷水槽（１ｃ）に浸漬するときに温水が混じる量を減らすことができ、冷水槽（１ｃ）の温度の上昇を少なくすることができる。
【発明を実施するための最良の形態】
【００１１】
以下図面に示す実施形態に基づき種籾消毒設備について説明する。
図１は育苗施設で建屋Ｔ内に床土置場A、苗箱置場B、種籾置場C、種籾消毒設備D、播種装置Ｅ、発芽室Ｆ、乾燥装置Ｇ等を備えている。
【００１２】
種籾消毒設備Ｄは多数の水槽１を前後方向に一列に設け、後述する後端の温水槽１ａから予洗槽１ｂ、冷水槽１ｃ、前端の浸漬槽１ｄにわたる左右両側の隣接位置にそれぞれ架台式の作業通路２を設けている。そして、作業通路２はその前端と後端にそれぞれ階段２ａを設け、設定高さ位置に形成している。水槽１の上方にはクレーン３が移動するレール４を設け、レール４は建屋Ｔの天井５側に取り付けている。レール４は水槽１の上方と一方の作業通路２の側方の作業スペースＫの上方とを長円形状に構成し、該作業スペースＫを隣接する種籾置場Ｃにおいてある種籾を網袋Ｐに入れて網状の収容容器Ｍに網袋Ｐを収容し、収容容器Ｍをクレーン５に吊るためのスペースとしている。
【００１３】
１０はボイラ、そして１１は熱交換器で一番後ろの水槽１ａより後側位置で、かつレール４の軌跡の外側位置に設けている。
後端の水槽１ａは種籾を消毒するための温水を供給する温水槽とし、温水槽１ａ内には温水を回収する温水回収管１２と、水槽１ａ内に温水を供給する温水供給管１３とを設け、温水回収管１２と温水供給管１３とは熱交換器１１を介して連通して循環水路とし、温水槽１ａ内の温水を回収して熱交換器１１で温度を調節して再度温水槽１ａに温水を供給する構成としている。
【００１４】
温水槽１ａの前側に隣接する水槽を温水槽１ａによる籾の消毒前に籾の洗浄を行なう予洗槽１ｂとし、予洗槽１ｂの前側に隣接する水槽を温水槽１ａで消毒した籾を冷却する冷水槽１ｃとし、冷水槽１ｃより前側に設ける複数の水槽を冷却後の籾を数日間水で浸漬する浸漬槽１ｄとしている。
【００１５】
次に温水槽１ａにおける循環水路の詳細について説明する。
温水回収管１２は温水槽１ａの内壁部ｒに沿って上下方向に設け、その下端部に設ける温水回収口１２ａを温水槽１ａの底部近傍に対向して設けている。温水回収管１２は温水槽１ａの内壁部ｒから上端の縁部ｓを折り返し温水槽１ａの外壁部ｔに沿って上下方向に設け、作業通路２の下側を通過して熱交換器１１に連通する構成である。
【００１６】
温水供給管１３は温水回収管１２と同様熱交換器１１から作業通路２の下側を通過し、温水槽１ａの外壁部ｔに沿ってから上端の縁部ｓを折り返して内壁部ｒの底部近傍に到達する。そして内壁部ｒの底部近傍で、多数の供給管１３ａに分岐し、各供給管１３ａにはそれぞれ多数の温水供給口１３ｂを上向きに形成している
温水回収管１２の途中には迂回水路１４の一端を接続しており、その他端は温水供給管１３の途中にある三方混合弁１５に接続している。また、１６は循環水路の温水を循環させる循環ポンプであり、他に符号は特に付さないが循環水路や迂回水路１４の水量を調節する調節バルブを適宜設けている。
【００１７】
なお、３２はオーバーフロー管、３３は排水管であり、温水供給管１３及び温水回収管１２と同様作業通路２の下方を通過する構成としている。
温水槽１ａ内の温水の温度制御について説明する。
【００１８】
温水回収口１２ａから回収された温水は温水回収管１２を通過し、熱交換器１１に到達する。そして、ボイラ１０からの熱を供給される熱交換器１１で約８０〜９０℃の温度に上昇制御され、温水供給管１３に供給される。一方、温水回収管１２を通過する温水の一部は迂回水路１４を通過して三方切換弁１５で温水供給管１３に合流する。そして、温水槽１ａへの温水が６０℃になるよう迂回水路１４を通過する温水量等がコントローラ５０で制御される。
【００１９】
次に乾燥装置Ｇの構成について説明する。
乾燥装置Ｇは箱型の機体２０内に通気孔（図示せず）を多数形成した網袋載置台２１を設け、網袋Ｐを平積みする構成である。そして機体２０外に設ける通風ファン２２で機体２０内に乾燥風を設定時間供給して網袋Ｐ内の種籾の水分を低減させる。
【００２０】
通風ファン２２と機体２０とは循環風路２３で機体２０の上部および下部とそれぞれ連通しする構成とし、通風ファン２２は正逆転可能とすることで、設定時間毎に網袋載置台２１の上方又は下方から乾燥風を供給することで、網袋Ｐの上下から乾燥風を順次供給することができ、網袋Ｐ内の種籾を均等に乾燥させることができる。
【００２１】
次に、種籾消毒工程について説明する。
種籾を網袋Ｐに入れ、作業スペースＫで網袋Ｐを網状の収容容器Ｍに収容し、収容容器Ｍに吊り具１７を取り付け、吊り具１７にクレーン３を装着し、クレーン３を作業者Ｖが一方の作業通路２に立って操作装置ｊで移動及び昇降操作して、レール４の軌跡に沿って移動して収容容器Ｍを所定の水槽１に工程順に下降して浸漬し、浸漬終了すると上昇させて次の水槽１へ移動する。その際補助作業者Ｗが他方の作業通路２に立って収容容器Ｍの昇降時に収容容器Ｍを支持して水槽内へ挿入する。
【００２２】
最初は種籾を洗浄する予洗槽１ｂに収容容器Ｍをクレーン５で移動し予洗槽１ｂ内に下降して洗浄水に浸漬する。次に予洗槽１ｂ内から吊り上げた収容容器Ｍは後側に移動して温水槽１ａで温水に設定時間（約１０分）浸漬され消毒される。
【００２３】
温水槽１ａ内では収容容器Ｍは底面から設定高さに設ける収容容器受け部３０に載置し、温水供給口１３ｂから噴出する温水に晒され消毒効果を促進させる。
次に温水槽１ａから引き上げられた収容容器Ｍは前側に向かってレール４に沿って移動し、予洗槽１ｂの上方を通過して次の冷水槽１ｃに下降して冷水で設定時間（約５分）冷却される。そして、冷却後冷水槽１ｃから引き上げられた収容容器Ｍは作業スペースＫに搬送され、浸漬容器Ｈに網袋Ｐを移し変え、浸漬容器Ｈを前側のいずれかの浸漬槽１ｄに移動し、数日間浸漬される。
【００２４】
浸漬槽１ｄで浸漬された浸漬容器Ｈ内の種籾は乾燥装置Ｇで乾燥処理され、その後、播種機Ｅで苗箱に播種され、発芽室Ｆに保管される。
本実施の形態では作業のし易い育苗施設にすることができるものである。
【図面の簡単な説明】
【００２５】
【図１】育苗施設の平面図
【図２】種籾消毒設備の平面図
【図３】温水槽の温水循環水路を示す斜視図
【図４】温水槽の温水循環水路を示す側面図
【図５】温水槽の温水循環水路を示す平面図
【図６】温水槽の内部を説明する側面図
【図７】温水槽の温水循環水路を示す回路図
【図８】乾燥装置の斜視図
【図９】乾燥装置の内部を示す側面図
【図１０】種籾消毒の工程を示す工程図
【符号の説明】
【００２６】
１    水槽
１ａ  温水槽
１ｂ  予洗槽
１ｃ  冷水槽
１ｄ  浸漬槽
２    作業通路
３    クレーン
４    レール
５    建屋の天井
１０  ボイラ
１１  熱交換器
１２  温水回収管
１３  温水供給管
ｒ  温水槽の内壁部
ｓ  温水槽の上縁部
ｔ  温水槽の外壁部
【図１】
2008271842.tif 000003
【図２】
2008271842.tif 000004
【図３】
2008271842.tif 000005
【図４】
2008271842.tif 000006
【図５】
2008271842.tif 000007
【図６】
2008271842.tif 000008
【図７】
2008271842.tif 000009
【図８】
2008271842.tif 000010
【図９】
2008271842.tif 000011
【図１０】
2008271842.tif 000012